(57)【特許請求の範囲】
【請求項１】
遊技に供される所定部材を有する本体枠と、該本体枠を扉状に開閉可能とする所定の連結手段を有する外枠と、を有する遊技機において、
前記本体枠には、
前記所定部材に帯電した静電気を導く導電線と、
該導電線と電気的に接続される導電仲介部材とが設けられ、
前記外枠には、
金属製の板状部材により形成される金属板部材が設けられ、
該金属板部材の一部は、前記外枠に対して前記本体枠が閉じられた状態における当該本体枠の所定部位に対して遊技機後方側に位置し、前記本体枠と前記外枠との間に形成される所定の隙間に対して遊技機後方側への異物の侵入経路を遮る位置に設けられ、
さらに、前記金属板部材は、前記外枠に対して前記本体枠が閉じられた場合に前記導電仲介部材に接触する接触部を有するとともに、前記連結手段の一部を構成することを特徴とする遊技機。
【請求項２】
前記遊技機は、パチンコ遊技機であることを特徴とする請求項１記載の遊技機。
【発明の詳細な説明】
【技術分野】
【０００１】
本発明は、帯電を防止する手段を有する遊技機に関する。
【背景技術】
【０００２】
従来、パチンコ遊技機等の遊技機は、例えば、外枠と本体枠とを有している。この外枠をホール島設備の取付台に固定する。また、本体枠は連結手段としてのヒンジにより外枠に扉状に開閉自在に配設されている。なお、外枠は木質系部材にて形成され、本体枠は合成樹脂系部材にて形成されるのが一般的である。この遊技機は、前記のように島設備に取り付けられた状態で遊技に供される。
【０００３】
ところで、この遊技機においては、遊技盤に遊技球を投入して流下させる際や遊技盤上を流下した遊技球を誘導するために本体枠背面に設けられた誘導経路において、遊技球同士が摩擦することで静電気が発生する。この静電気は、遊技機の有する各種制御基板に対して誤作動を発生させる要因となる。これの対策として、遊技機には、静電気を除去するためのアース端子が遊技機の所定箇所に配設されている。
【発明の概要】
【発明が解決しようとする課題】
【０００４】
しかしながら、遊技機の導電箇所に帯電する静電気は効率良く除去することが好ましく、また、遊技機を形成している外枠と本体枠との間に所定の隙間が形成される場合に、その所定の隙間からの異物の侵入は抑制できることが好ましい。
【０００５】
そこで、本発明は、上記の課題等に鑑みてなされたものであって、遊技機の有する導電箇所に帯電している静電気を効率よく除去することができ、また、外枠と本体枠との間に形成される所定の隙間からの異物の侵入を抑制することができる遊技機を提供することを目的とする。
【課題を解決するための手段】
【０００６】
上記目的を達成するため、請求項１にかかる発明は、
遊技に供される所定部材を有する本体枠と、該本体枠を扉状に開閉可能とする所定の連結手段を有する外枠と、を有する遊技機において、
前記本体枠は、
前記所定部材に帯電した静電気を導く導電線と、
該導電線と電気的に接続される導電仲介部材とを備え、
前記外枠は、
金属製の板状部材により形成される金属板部材を備え、
該金属板部材の一部は、前記外枠に対して前記本体枠が閉じられた状態における当該本体枠の所定部位に対して遊技機後方側に位置し、前記本体枠と前記外枠との間に形成される所定の隙間に対して遊技機後方側への異物の侵入経路を遮る位置に設けられ、
さらに、前記金属板部材は、前記外枠に対して前記本体枠が閉じられた場合に前記導電仲介部材に接触する接触部を有するとともに、前記連結手段の一部を構成する。
【発明の効果】
【０００７】
請求項１記載の発明によれば、遊技機の有する導電箇所に帯電している静電気を効率よく除去することができ、また、外枠と本体枠との間に形成される所定の隙間からの異物の侵入を抑制することができる。
【図面の簡単な説明】
【０００８】
【図１】本発明にかかるパチンコ遊技機Ａ１の前面側の構成を示す全体斜視図である。
【図２】本発明にかかるパチンコ遊技機Ａ１の背面側の構成を示す全体斜視図である。
【図３】本発明にかかるパチンコ遊技機Ａ１の背面側の要部の構成を示す拡大斜視図である。
【図４】本発明にかかるパチンコ遊技機Ａ１の要部の構成を示す斜視図である。
【図５】本発明にかかるパチンコ遊技機Ａ１の要部の構成を示す図であって、Ｘ１矢視線（図３参照）より視認した矢視断面図である。
【図６】本発明にかかるパチンコ遊技機Ａ１の使用状態を示す平面図である。
【図７】本発明にかかるパチンコ遊技機Ａ１の要部の構成を示す図であって、Ｘ２矢視線（図３参照）より視認した矢視断面図である。
【図８】本発明にかかるパチンコ遊技機Ａ１の要部の構成を示す拡大斜視図である。
【図９】本発明にかかるパチンコ遊技機Ａ１の要部の構成を示す図であって、Ｘ３矢視線（図８参照）より視認した矢視断面図である。
【図１０】本発明にかかるパチンコ遊技機Ａ１の第１の変形例の要部の構成を示す斜視図である。
【図１１】本発明にかかるパチンコ遊技機Ａ１の第１の変形例の構成を示す図であって、本実施例のパチンコ遊技機Ａ１に第１の変形例を配設した状態をＸ１矢視線（図３参照）より視認した矢視断面図である。
【図１２】本発明にかかるパチンコ遊技機Ａ１の第２の変形例の要部の構成を示す斜視図である。
【図１３】本発明にかかるパチンコ遊技機Ａ１の第３の変形例の要部の構成を示す分解斜視図である。
【図１４】本発明にかかるパチンコ遊技機Ａ１の第３の変形例の要部の構成を示す平面図である。
【発明を実施するための形態】
【０００９】
本発明は、上記構成に限られるものではなく、以下の手段として構成しても良い。
【００１０】
手段０
遊技に供される各種装置を有する本体枠と、同本体枠を保持するとともに同本体枠とは所定の連結手段により扉状に連結されている外枠と、を有する遊技機において、導電性を有する略板状部材により形成された導電部材を、前記各種装置の有する導電箇所と接するようにして配設したことを特徴とする遊技機。
【００１１】
上記のように構成した手段０にかかる発明においては、具体的には、外枠の内周側の底面に、導電性を有する板部材を本体枠に設けられている各種装置の有する導電箇所と接するようにして配設する。この導電部材は、本体枠が外枠に収納された状態で、遊技機の背面側に設けられている各種装置の導電箇所と接触するように配設されている。また、この導電部材の一部は、島側の導電性を有する箇所と電気的に接続されている。  これにより、遊技機の有する導電箇所に帯電している静電気を効率よく除去することができる。また、外枠と本体枠との間に形成される隙間を遮蔽することができる。
【００１２】
手段１
前記導電部材が、前記連結手段と接するように配設されていることを特徴とする手段０に記載の遊技機。
【００１３】
外枠と本体枠とを連結している連結手段と接触するように導電部材を配設する。通常、連結手段は、導電性を有する金属部材にて形成されている。ここで、導電部材は、本体枠の導電性を有する部材、具体的には、遊技球排出路から溢れ出した遊技球を下皿へ案内する溢出球案内経路と接触するように配設されるとともに、連結手段とも接触するように配設されている。こうすることにより、導電部材に導入された静電気を連結手段を介して島側へ導通する。
【００１４】
これにより、遊技機の有する導電箇所に帯電している静電気を効率よく除去することができ、静電気の除去設備を配設する作業労力を軽減することができる。
【００１５】
手段２
前記導電部材が、前記連結手段と一体に形成されていることを特徴とする手段０もしくは手段１に記載の遊技機。
【００１６】
導電部材と連結手段とを一体に形成する。例えば、遊技機の底面に導電部材を配設したい場合には、遊技機の底面側の連結手段を導電部材が一体に形成されたものを配設する。
【００１７】
これにより、導電部材と連結手段とが一体に形成されているので、確実に静電気を導電することができる。また、導電部材と連結手段との接続を行う必要がないので、手間取ることなく取り付けることができる。
【００１８】
手段３
前記導電部材が、前記本体枠の背面側に設けられた前記各種装置の有する導電箇所と接するように設けられていることを特徴とする手段０〜手段２のいずれかに記載の遊技機。
【００１９】
本体枠の背面側に配設された各種装置の有する導電箇所と連結手段とに接するように導電部材を配設する。
【００２０】
これにより、本体枠の背面側に設けられた各種装置の有する導電箇所に帯電している静電気を除去することができる。
【００２１】
手段４
前記導電部材が、前記遊技機において遊技球を発射させるための遊技球発射装置の有する導電箇所と接するように設けられていることを特徴とする手段０〜手段３のいずれかに記載の遊技機。
【００２２】
導電部材を遊技球発射装置の有する導電箇所と接するように配設する。この遊技球発射装置は、遊技球を遊技領域へ打ち出すために設けられており、遊技球を打ち出す際に遊技球の周辺に静電気が発生する。そこで、遊技球発射装置に導電部材を接触させることにより遊技球発射装置に帯電している静電気を導電部材へ導通することにより除去される。
【００２３】
これにより、遊技球発射装置の有する導電箇所に帯電している静電気を効率よく除去することができる。
【００２４】
手段５
前記本体枠の背面側には、同本体枠に設けられた各種装置の有する導電箇所と接するとともに前記導電部材とも接するように設けられた導電仲介部材が配設されていることを特徴とする手段０〜手段４のいずれかに記載の遊技機。
【００２５】
具体的には、本体枠の背面側で導電部材と接触可能な位置に導電仲介部材を配設する。ここで、遊技盤の背面側に設けられている遊技球の流通経路等に導電箇所を形成して、その導電箇所に導電線を接続し、さらに、この導電線の他端を導電仲介部材に接続する。
【００２６】
これにより、本体枠の背面側に設けられている各種装置の有する導電箇所に帯電している静電気を効率よく除去することができる。
【００２７】
手段６
前記本体枠の背面側に設けられた機構板には、同機構板に配設されている前記各種装置の有する導電箇所と接するとともに前記導電部材とも接するように設けられた導電仲介部材が配設されていることを特徴とする手段０〜手段５のいずれかに記載の遊技機。
【００２８】
具体的には、機構板の有する制御基板等に導電仲介部材を配設する。ここで、機構板に設けられている遊技球の流通経路等に導電箇所を形成して、その導電箇所に導電線を接続し、さらに、この導電線の他端を導電仲介部材に接続する。
【００２９】
これにより、機構板に設けられている各種装置の有する導電箇所に帯電している静電気を効率よく除去することができる。
【００３０】
手段７
前記導電部材が、前記本体枠の背面側に設けられた前記各種装置と接続された導電箇所の少なくとも２箇所と接するように設けられていることを特徴とする手段０〜手段６のいずれかに記載の遊技機。
【００３１】
本体枠の背面側に配設された各種装置の有する複数の異なる導電箇所に導電部材を接触させるとともに連結手段とも接触するようにして配設する。この複数の異なる導電箇所とは、具体的に、遊技球発射装置や機構板に配設された制御基板や遊技球の流通経路等の有する導電箇所であり、これらと同時に接触させることで一連の導電経路が形成される。
【００３２】
これにより、本体枠の背面側に設けられている複数の各種装置の有する導電箇所に帯電している静電気を効率よく除去することができる。
【００３３】
手段８
前記導電部材が、前記遊技球発射装置の有する導電箇所及び前記本体枠の背面側に配設されている前記導電仲介部材の両方と接するように設けられていることを特徴とする手段７に記載の遊技機。
【００３４】
遊技球発射装置の導電箇所と接触するように配設されている導電部材に、さらに、本体枠の有する導電箇所と接続された導電仲介部材を接触させるように配設する。
【００３５】
これにより、遊技球発射装置と本体枠の背面側に設けられている各種装置の有する導電箇所とに帯電している静電気を効率よく除去することができる。
【００３６】
手段９
前記導電部材が、前記遊技球発射装置の有する導電箇所及び前記機構板に配設されている前記導電仲介部材の両方と接するように設けられていることを特徴とする手段７に記載の遊技機。
【００３７】
遊技球発射装置の導電箇所と接触するように配設されている導電部材と接触するように導電仲介部材を配設する。
【００３８】
これにより、遊技球発射装置と機構板に設けられている各種装置の有する導電箇所に帯電している静電気を効率よく除去することができる。
【００３９】
手段１０
前記導電部材が、前記遊技球発射装置の有する導電箇所及び／又は前記本体枠の背面側に設けられた前記導電仲介部材及び／又は前記機構板に設けられた前記導電仲介部材のいずれかと接するように設けられていることを特徴とする手段７に記載の遊技機。
【００４０】
遊技球発射装置の有する導電箇所又は本体枠の背面側に設けられた導電仲介部材又は機構板に設けられた導電仲介部材の少なくともいずれか一つを導電部材と接触するように配設する。
【００４１】
これにより、導電部材と接触している導電箇所の静電気を効率よく除去することができる。
【００４２】
手段１１
前記導電部材が、前記本体枠と前記外枠との間に形成される隙間を遮蔽可能な位置に設けられていることを特徴とする手段０〜手段１０のいずれかに記載の遊技機。
【００４３】
外枠に本体枠を収納した状態では、外枠と本体枠との間に少なからず所定の隙間が形成されてしまい、遊技機内に異物が侵入し易い状態となる。そこで、外枠と本体枠との間に形成される隙間を遮蔽する位置に導電部材を配設する。具体的には、導電部材を所定の固定具を用いて外枠の内周側の端部に沿って配設する。
【００４４】
これにより、外枠と本体枠との間に設けられる隙間を容易に遮蔽することができ、遊技機内部への異物の侵入を抑止することができる。
【００４５】
手段１２
前記導電部材が、前記外枠に配設されていることを特徴とする手段０〜手段１１のいずれかに記載の遊技機。
【００４６】
具体的には、導電部材を本体枠の背面側であって、外枠の底面をなす部材の内側面に配設する。そして、導電部材の一部が本体枠に設けられた各種装置の有する導電箇所と連結手段とに接するように配設する。
【００４７】
これにより、本体枠の背面側に設けられた各種装置の有する導電箇所に帯電している静電気を効率よく除去することができる。
【００４８】
手段１３
前記導電部材が、前記外枠の底面をなす部材の内周面の所定位置から若干突出するように立設された状態で前記連結手段と接するように配設され、かつ、前記本体枠を同外枠に収納すると、同本体枠に配設されている前記遊技球発射装置の有する導電箇所と接するように設けられていることを特徴とする手段１２に記載の遊技機。
【００４９】
導電部材を外枠の底面をなす部材の内周面の所定位置に配設する。この際、導電部材が連結手段及び遊技球発射装置の有する導電箇所と接するように配設する。
【００５０】
これにより、遊技球発射装置の有する導電箇所に帯電している静電気を効率よく除去することができる。また、外枠と本体枠との間に設けられる隙間を遮蔽するように配設されているので、遊技機内部に異物が侵入することを抑止することができる。
【００５１】
手段１４
前記導電部材が、前記本体枠の背面側に配設されていることを特徴とする手段０〜手段１１のいずれかに記載の遊技機。
【００５２】
具体的には、本体枠の背面側の底面付近に導電部材を配設する。そして、導電部材の一部が本体枠に設けられた各種装置の有する導電箇所及び連結手段と接するように配設する。
【００５３】
これにより、本体枠の背面側に設けられた各種装置の有する導電箇所に帯電している静電気を効率よく除去することができる。
【００５４】
手段１５
前記導電部材が、前記本体枠の背面側の底面端部から下方へ若干突出するようにして同本体枠に設けられている前記遊技球発射装置の導電箇所と接するように設けられ、かつ、前記連結手段と接するように配設されていることを特徴とする手段１４に記載の遊技機。
【００５５】
導電部材を本体枠の背面側に配設する。この際、導電部材が連結手段及び遊技球発射装置の導電箇所と接するように配設する。
【００５６】
これにより、遊技球発射装置の有する導電箇所に帯電している静電気を効率よく除去することができる。また、外枠と本体枠との間に設けられる隙間を遮蔽するように配設されているので、遊技機内部に異物が侵入することを抑止することができる。
【００５７】
手段１６
前記導電部材が、所定の弾性を有する導電性部材にて形成されていることを特徴とする手段０〜手段１５のいずれかに記載の遊技機。
【００５８】
具体的には、導電部材をステンレススチール材等の所定の弾性を有する板状部材により形成する。ステンレススチール製の板状部材により形成された導電部材を本体枠に接触させた時に、若干撓む程度に予め折曲させる。こうすることにより、導電部材に本体枠を接触させると、導電部材が本体枠に設けられている各種装置の有する導電箇所に対して所定の圧力で付勢された状態で接触する。
【００５９】
これにより、導電部材と本体枠の背面側に設けられている各種装置の有する導電箇所とを確実に接触させることができ、静電気の除去を確実に行うことができる。
【００６０】
手段１７
前記導電部材が、複数箇所を略平行に折曲することにより前記遊技機の背面側に設けられた各種装置に対して所定の圧力で付勢可能に設けられていることを特徴とする手段０〜手段１６のいずれかに記載の遊技機。
【００６１】
導電部材を配設する外枠と略平行をなすように複数箇所において折曲する。具体的には、導電部材を本体枠側とは反対側に若干傾斜させるように折曲する。こうすることにより、導電部材を本体枠の被接触部に接触させる際に、所定の圧力が加わった状態、すなわち、板バネ作用により付勢された状態で接触している。
【００６２】
これにより、導電部材と本体枠に設けられている各種装置の有する導電箇所とを確実に接触させることができる。また、折曲するだけで導電部材に付勢作用を付加することができ、加工が容易である。
【００６３】
手段１８
前記導電部材の外形形状が、前記本体枠の背面側に設けられた前記各種装置の有する導電箇所の外形形状に合わせて形成されていることを特徴とする手段０〜手段１７のいずれかに記載の遊技機。
【００６４】
具体的には、導電部材を遊技機の底面に配設する場合において、導電部材を本体枠に設けられている導電箇所としての遊技球発射装置の有する遊技球発射用のモータ等の外形形状に合わせて成形する。
【００６５】
これにより、導電部材と本体枠に設けられている各種装置の有する導電箇所とを確実に接触させることができ、静電気を効率よく除去させることができる。
【００６６】
手段１９
前記本体枠と前記外枠とを前記連結手段により開閉自在に連結する開閉軸付近には、同本体枠に設けられている前記各種装置の有する導電箇所と同連結手段との間に介在されることにより同導電部材と同連結手段とを間接的に接触させている介在手段が設けられ、かつ、同介在手段が、導電性を有する部材により形成されていることを特徴とする手段０〜手段１８のいずれかに記載の遊技機。
【００６７】
本体枠と外枠とを連結手段により開閉自在に連結する開閉軸付近に、本体枠に設けられている各種装置の有する導電箇所と連結手段との間に介在させる位置に介在手段を設ける。この介在手段は、導電性を有する部材により形成されており、一定の条件下、例えば、本体枠を外枠に収納した場合において、本体枠に設けられている各種装置の有する導電箇所と連結手段とが間接的に接触するように設けられている。
【００６８】
これにより、本体枠及び機構板に設けられている各種装置の有する導電箇所に帯電している静電気を効率よく除去することができる。
【００６９】
手段２０
前記遊技機は、スロットマシンであり、複数の識別情報からなる識別情報列を動的表示した後に識別情報を確定表示する可変表示手段を備え、始動用操作手段（例えば、操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた手段０〜手段１９のいずれかに記載の遊技機。 
【００７０】
スロットマシンとは、回胴式の絵柄の絵合わせを行うものであり、特定の絵柄に当選した場合に限ってその絵柄に対応する出玉を遊技者に還元する機能を有するものである。このスロットマシンの遊技媒体としては、コインやメダルを使用するのが一般的である。
【００７１】
このスロットマシンは、前面側だけ開口された略箱状を呈する筐体と、筐体の前面に設けられた制御部等を有する本体部と、筐体部内に設けられたコインタンク及びコイン払い出し装置等より形成されている。ここで、スロットマシンの筐体と本体部との間に設けられる隙間を遮蔽する位置に、導電性を有する導電部材を筐体側又は本体部側のいずれかに配設する。例えば、導電部材が筐体側に設けられる場合には、本体部が筐体に収納された状態で本体部側の導電性を有する部材と接触するように配設する。また、この導電部材の一部は、島側の導電箇所と電気的に接続されている。
【００７２】
これにより、スロットマシンの有する導電箇所に帯電している静電気を効率よく除去することができる。
【００７３】
手段２１
前記遊技機は、パチロットであり、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されていることを特徴とする手段０〜手段１９のいずれかに記載の遊技機。
【００７４】
パチロットとは、前記のスロットマシンと概ね同様の構成を有する遊技機で、遊技球を遊技媒体として使用することを特徴とするものである。
【００７５】
このパチロットは、前面側だけ開口された略箱状を呈する筐体と、筐体の前面に設けられた制御部等を有する本体部と、筐体内部に設けられた遊技球タンク及び遊技球払い出し装置等より形成されている。ここで、パチロットの筐体と本体部との間に設けられる隙間を遮蔽する位置に導電性を有する導電部材を筐体側又は本体部側のいずれかに配設する。例えば、導電部材が筐体側に設けられる場合には、本体部が筐体に収納された状態で本体部の導電性を有する部材と接触するように配設されている。また、この導電部材の一部は、島側の導電性を有する箇所と接続されている。
【００７６】
これにより、パチロットの有する導電箇所に帯電している静電気を効率よく除去することができる。
【００７７】
以上説明したように手段０にかかる発明は、遊技機の有する導電箇所に帯電している静電気を効率よく除去することができる。 また、外枠と本体枠との間に形成される隙間を遮蔽することができる。
【００７８】
また、手段１にかかる発明によれば、遊技機の有する導電箇所に帯電している静電気を効率よく除去することができ、静電気の除去設備を配設する作業労力を軽減することができる。
【００７９】
また、手段２にかかる発明によれば、導電部材と連結手段とが一体に形成されているので、確実に静電気を導電することができる。また、導電部材と連結手段との接続を行う必要がないので、手間取ることなく取り付けることができる。
【００８０】
また、手段３にかかる発明によれば、本体枠の背面側に設けられた各種装置の有する導電箇所に帯電している静電気を除去することができる。
【００８１】
また、手段４にかかる発明によれば、遊技球発射装置の有する導電箇所に帯電している静電気を効率よく除去することができる。
【００８２】
また、手段５にかかる発明によれば、本体枠の背面側に設けられている各種装置の有する導電箇所に帯電している静電気を効率よく除去することができる。
【００８３】
また、手段６にかかる発明によれば、機構板に設けられている各種装置の有する導電箇所に帯電している静電気を効率よく除去することができる。
【００８４】
また、手段７にかかる発明によれば、本体枠の背面側に設けられている複数の各種装置の有する導電箇所に帯電している静電気を効率よく除去することができる。
【００８５】
また、手段８にかかる発明によれば、遊技球発射装置と本体枠の背面側に設けられている各種装置の有する導電箇所とに帯電している静電気を効率よく除去することができる。
【００８６】
また、手段９にかかる発明によれば、本体枠の背面側に設けられた各種装置の有する導電箇所に帯電している静電気を除去することができる。
【００８７】
また、手段１０にかかる発明によれば、導電部材と接触している導電箇所の静電気を効率よく除去することができる。
【００８８】
また、手段１１にかかる発明によれば、外枠と本体枠との間に設けられる隙間を容易に遮蔽することができ、遊技機内部への異物の侵入を抑止することができる。
【００８９】
また、手段１２にかかる発明によれば、本体枠の背面側に設けられた各種装置の有する導電箇所に帯電している静電気を効率よく除去することができる。
【００９０】
また、手段１３にかかる発明によれば、遊技球発射装置の有する導電箇所に帯電している静電気を効率よく除去することができる。また、外枠と本体枠との間に設けられる隙間を遮蔽するように配設されているので、遊技機内部に異物が侵入することを抑止することができる。
【００９１】
また、手段１４にかかる発明によれば、本体枠の背面側に設けられた各種装置の有する導電箇所に帯電している静電気を効率よく除去することができる。
【００９２】
また、手段１５にかかる発明によれば、遊技球発射装置の有する導電箇所に帯電している静電気を効率よく除去することができる。また、外枠と本体枠との間に設けられる隙間を遮蔽するように配設されているので、遊技機内部に異物が侵入することを抑止することができる。
【００９３】
また、手段１６にかかる発明によれば、導電部材と本体枠の背面側に設けられている各種装置の有する導電箇所とを確実に接触させることができ、静電気の除去を確実に行うことができる。
【００９４】
また、手段１７にかかる発明によれば、導電部材と本体枠に設けられている各種装置の有する導電箇所とを確実に接触させることができる。また、折曲するだけで導電部材に付勢作用を付加することができ、加工が容易である。
【００９５】
また、手段１８にかかる発明によれば、導電部材と本体枠に設けられている各種装置の有する導電箇所とを確実に接触させることができ、静電気を効率よく除去させることができる。
【００９６】
また、手段１９にかかる発明によれば、本体枠及び機構板に設けられている各種装置の有する導電箇所に帯電している静電気を効率よく除去することができる。
【００９７】
また、手段２０にかかる発明によれば、スロットマシンの有する導電箇所に帯電している静電気を効率よく除去することができる。
また、手段２１にかかる発明によれば、パチロットの有する導電箇所に帯電している静電気を効率よく除去することができる。
【００９８】
次に、下記の順序に従って本発明の実施形態を説明する。
【００９９】
（１）遊技機の概要:
（２）遊技機の説明:
（３）遊技機の変形例:
（１）遊技機の概要:
本発明に基づく遊技機をパチンコ遊技機Ａ１に応用した場合の実施の形態について図面を利用して説明する。
【０１００】
パチンコ遊技機Ａ１は、複数の機能部品により構成された各種装置を複数用いて互いに組み合わせ、さらに、これらを一体に形成することによりユニット体を構成し、さらに、これらユニット体を互いに組み合わせることによって、パチンコ遊技機Ａ１として機能するものである。すなわち、このユニット体とは、図１及び図２に示すように、本体枠１０、遊技盤１２、機構板２０、前面ガラス扉枠３０、外枠４０等である。また、各種装置とは、本体枠１０においては、上皿１４、下皿１６、遊技球発射装置１８等が挙げられる。また、機構板２０においては、カバー部材２２ａ、主制御基板２２ｂ、景品球タンク２２ｃ、景品球排出装置２２ｄ、払出制御基板２２ｅ、電源操作部２２ｆ、電源基板２２ｇ等が挙げられる。なお、カバー部材２２ａ内に配設されている部材としては、制御情報表示装置２２ｈや、ランプ制御基板（図示省略）や、発射制御基板（図示省略）等が挙げられる。
【０１０１】
なお、以下の説明において、前面又は前面側とは、図１に示すように、遊技領域１２ａが設けられている面、すなわち、遊技者が対面する面を示すものとし、背面又は背面側とは、図２に示すように、機構板２０が設けられている面を示すものとする。また、下方とは、特に説明する場合以外は、後述する底面部材４０ａの配設されている方向を示すものとし、上方とは、下方の反対、すなわち、後述する上面部材４０ｄの配設されている方向を示すものとする。
【０１０２】
（２）遊技機の説明:
図１は、パチンコ遊技機Ａ１の前面側の構成を示す全体斜視図である。
【０１０３】
同図において、パチンコ遊技機Ａ１は、本体枠１０と、前面ガラス扉枠３０と、外枠４０とをそれぞれ所定位置に配設することにより形成されている。
【０１０４】
ここで、パチンコ遊技機Ａ１の構成についてさらに詳細に説明すると、本体枠１０は、図１及び図２に示すように、合成樹脂製の部材により略枠状に形成されており、本体部１０ａと、取付部１０ｂとが一体に形成されている。この本体部１０ａは、パチンコ遊技機Ａ１の前面側に向けて配設されており、取付部１０ｂは、パチンコ遊技機Ａ１の背面側に向けて配設されている。また、この取付部１０ｂには、遊技盤１２が嵌着されるようにして設けられている。また、この本体枠１０の長手方向の一方の側面、具体的には、取付部１０ｂの側面には、金属製の係止部材１０ｃが設けられている。
【０１０５】
また、本体枠１０の前面側の遊技盤１２の下方には、上皿１４と、下皿１６と、ハンドル１８ａがそれぞれ配設されている。さらに、この本体枠１０には、図１等に示すように、所定の被連結部１１が設けられており、この被連結部１１を介して外枠４０と開閉自在に連結されている。
【０１０６】
また、この遊技盤１２の前面側には、図１に示すように、遊技球を流下させる遊技領域１２ａが形成されている。この遊技領域１２ａには、遊技を演出する各種役物として始動口１２ａ１や、風車１２ａ２や、後述する制御情報表示装置２２ｈの有する画像表示部２２ｈ１や、画像表示部２２ｈ１の周囲に設けられた画像表示部装飾部材１２ａ３や、画像表示部装飾部材１２ａ３内に配設された装飾用ランプ３４等が設けられている。
【０１０７】
次に、図２は、パチンコ遊技機Ａ１の背面側の構成を示す全体斜視図である。
【０１０８】
同図において、本体枠１０の背面側、すなわち、遊技盤１２の遊技領域１２ａが設けられている面とは反対の面には、機構板２０が設けられている。この機構板２０は、合成樹脂製の部材により形成されている。また、この機構板２０は、本体枠１０の取付部１０ｂの側面に設けられた機構板連結部材２１により遊技盤１２に対して開閉自在に装着されている。この機構板連結部材２１は、導電性を有する金属部材等により形成されており、本体枠１０の取付部１０ｂの長手方向の面、すなわち、外枠４０の有する第１側面部材４０ｂの配設されている面の取付部１０ｂに固定されており、機構板２０をヒンジ（図示省略）を用いて回動自在に連結することで遊技盤１２に対して開閉自在に装着するために設けられている。また、この機構板２０と遊技盤１２との間には、セーフ球集合板２４が設けられている。このセーフ球集合板２４は、遊技領域１２ａを流下して始動口１２ａ１等に入賞したセーフ球を集める等の機能を有している。
【０１０９】
また、この機構板２０には、図２に示すように、複数の機能部品からなる各種装置（図示省略）が所定位置にそれぞれ配設されている。この各種装置としては、前述のように、カバー部材２２ａ、主制御基板２２ｂ、景品球タンク２２ｃ、景品球排出装置２２ｄ、払出制御基板２２ｅ、電源操作部２２ｆ、電源基板２２ｇ等である。
【０１１０】
次に、前面ガラス扉枠３０は、図１に示すように、本体枠１０の前面側に配設されている。この前面ガラス扉枠３０の中辺部には、ガラス部３２が設けられており、前面側には、装飾用ランプ３４が設けられている。
【０１１１】
次に、外枠４０は、図２に示すように、略長方形状を呈する木質系の複数の板部材を互いに組み合わせることにより形成されている。すなわち、この外枠４０は、底面部材４０ａと、第１側面部材４０ｂと、第２側面部材４０ｃと、上面部材４０ｄとから形成されており、これらの端部同士を互いに連接することにより、パチンコ遊技機Ａ１の前面方向及び背面方向が開口した略枠状に形成されている。
【０１１２】
また、第１側面部材４０ｂの上下端には、金属製の本体枠連結部材４２（連結手段）が設けられている。この連結部材４２は、第１側面部材４０ｂの上方端部に第１連結部材４２ａが配設され、下方端部に第２連結部材４２ｂがそれぞれ配設されている。この連結部材４２は、本体枠１０の被連結部１１と、前面ガラス扉枠３０の被連結部３６とを外枠４０に対して回動自在に連結するために設けられている。つまり、外枠４０には、本体枠１０が開閉自在に設けられ、さらに、本体枠１０には、前面ガラス扉枠３０が開閉自在に設けられている。また、本体枠１０の解放端側の取付部１０ｂの側面に設けられている係止部材１０ｃは、本体枠１０の前面側から背面側に渡って穿設されている。この係止部材１０ｃは、本体枠１０の外枠４０への収納と、前面ガラス扉枠３０の本体枠１０への固定とを同時に行うための係止手段として設けられている。
【０１１３】
図３は、パチンコ遊技機Ａ１の背面側の要部の構成を示す拡大斜視図である。
【０１１４】
同図において、外枠４０の底面に設けられた底面部材４０ａの内周側の上面には、第１支持部材４０ｅ（図１及び図５参照）と、第２支持部材４０ｆとがそれぞれ配設されている。この第１支持部材４０ｅは、底面部材４０ａと隙間なく配設されるとともに、パチンコ遊技機Ａ１の前面側へ露出するよう設けられており、さらに、第１側面部材４０ｂ及び第２側面部材４０ｃとにより挟持される位置に設けられている。また、第２支持部材４０ｆは、第１支持部材４０ｅの背面側の側面に隙間なく配設されており、底面部材４０ａとは所定の間隔を余して設けられ、さらに、第１側面部材４０ｂ及び第２側面部材４０ｃとにより挟持される位置に設けられている。
【０１１５】
また、第１支持部材４０ｅ及び第２支持部材４０ｆ上方の直近であって、本体枠１０の背面側には、遊技球発射装置１８が設けられている。この遊技球発射装置１８は、遊技球を遊技領域１２ａへ打ち出すために設けられており、遊技者に遊技球の発射を行わせるハンドル１８ａと、遊技球の発射を駆動するモータ１８ｂと、遊技球を打ち出す打球槌１８ｃと、これらを一体的に保持するベース部材１８ｄとから形成されている。また、モータ１８ｂは、ベース部材１８ｄに所定の間隔を余して設けられたモータ支持部１８ｅに固定されている。ここで、べース部材１８ｄやモータ支持部１８ｅ等の遊技球発射装置１８を構成している部材の大部分は、導電性を有する金属部材により形成されている。
【０１１６】
ここで、この支持部材４０ｆの背面側には、図３に示すように、本発明の主要な構成としての静電気除去プレート５０（導電部材）が設けられている。
【０１１７】
図４は、パチンコ遊技機Ａ１の背面側の要部の構成を示す拡大斜視図である。
【０１１８】
同図において、静電気除去プレート５０は、細長い略短冊状を呈する金属製の板状部材により形成されている。また、この静電気除去プレート５０は、所定の位置において長手方向と略平行線状に折曲されることにより、固定部５２と、接触部５４とが形成されている。さらに、この静電気除去プレート５０には、長手方向の一方の端部に接続部５６が形成されている。
【０１１９】
固定部５２の所定位置には、所定の固定具を挿通可能な複数の孔部５２ａが穿設されている。つまり、この静電気除去プレート５０は、孔部５２ａに所定の固定具を配設して固定部５２を第２支持部材４０ｆの側面の所定位置に固定することにより外枠４０に配設されている。
【０１２０】
また、接触部５４は、固定部５２とは同一体をなしており、２箇所の折曲線５０ａ及び折曲線５０ｂにおいて所定の角度で折曲されることにより固定部５２とは区別された面状に形成されている。なお、補足事例として、接触部５４の折曲線５０ｂとは反対側の端部は、周囲の配線類等の部材と不用意に接触する可能性がある場合には、これらの部材を保護する目的で内側に折曲されたり所定の保護材が装着されていてもよい。
【０１２１】
また、接続部５６は、固定部５２と接触部５４との間に形成された中間部分５３を長手方向へ所定の長さまで延長した形状を呈しており、その端部付近には、所定の固定具Ｆ等を挿通可能とする孔部５６ａが形成されている。この孔部５６ａは、第２連結部材４２ｂに設けられた孔部（図示省略）とともに所定の固定具Ｆ等を用いて底面支持部材４０ｆに固定可能な位置に形成されている。
【０１２２】
ここで、静電気除去プレート５０をパチンコ遊技機Ａ１へ配設する際の態様について説明する。
【０１２３】
図５は、パチンコ遊技機Ａ１の要部の構成を示す図であって、Ｘ１矢視線（図３参照）より視認した矢視断面図である。
【０１２４】
同図において、静電気除去プレート５０は、固定部５２に複数設けられている孔部５２ａ（図４参照）に所定の固定具Ｆ等を用いることにより第２支持部材４０ｆの背面側の側面に固定されている。そして、本体枠１０を外枠４０に収納すると、静電気除去プレート５０の有する接触部５４が丁度モータ支持部１８ｅの下面の端部付近に接触するように設けられている。また、接続部５６は、孔部５６ａを第２連結部材４２ｂに設けられた孔部４２ｂ１とともに所定の固定具Ｆ等を用いて第２支持部材４０ｆの上面に固定されている。
【０１２５】
次に、パチンコ遊技機Ａ１の使用状態、具体的には、パチンコ遊技機Ａ１に静電気除去プレート５０を設置した場合の作用について説明する。
【０１２６】
図６は、パチンコ遊技機Ａ１の使用状態を示す平面図である。
【０１２７】
同図において、静電気除去プレート５０が第２支持部材４０ｆの背面側の側面に配設されている。ここで、本体枠１０を外枠４０に収納すると、遊技球発射装置１８のモータ支持部１８ｅに静電気除去プレート５０の接触部５４が接触する。すると、遊技球発射装置１８に帯電している静電気は、図６に示す破線のように、モータ支持部１８ｅから接触部５４へ導通され、さらに、接続部５６及び第２連結部材４２ｂを経由して島側へ導通される。この時、第１連結部４２ａが島側の導電箇所と接続されているような場合には、第１連結部材４２ａと第２連結部材４２ｂとを連結している軸部材等を介して第２連結部材４２ｂから第１連結部材４２ａに静電気が導通されて島側へ放電される。
【０１２８】
なお、本実施例においては、接触部５４と接する箇所を遊技球発射装置１８以外にも設けるようにしてもよい。すなわち、本体枠１０の背面側であって、接触部５４に近接する所定位置には、図２及び図３に示すように、遊技球発射装置１８とともに接触部５４と接触するように設けられた導電プレート１９（導電仲介部材）が配設されている。
【０１２９】
図７は、パチンコ遊技機Ａ１の要部の構成を示す図であって、Ｘ２矢視線（図３参照）より視認した矢視断面図である。
【０１３０】
同図において、導電プレート１９は、所定位置が折曲された導電性を有する板状部材により形成されており、一方の端部が本体枠１０の背面側に固定され、他方の端部が静電気除去プレート５０の接触部５４と接するように設けられている。また、この導電プレート１９には、遊技盤２０の背面側に設けられた各種装置、具体的には、遊技球の流通経路（図示省略）等の有する導電箇所に接続された導電線１９ａが接続されている。つまり、遊技盤１２ａの背面側に配設された流通経路等の各種装置の有する導電箇所に帯電している静電気は、図６に示す破線のように、導電線１９ａを介して導電プレート１９に導通され、さらに、接触部５４及び接続部５６及び第２連結部材４２ｂを経由して島側へ導通される。
【０１３１】
また、前述の静電気除去プレート５０では、外枠４０の側に配設されている場合について説明したが、本体枠１０の側に配設されていてもよい。すなわち、本体枠１０に配設されるように設けられた静電気除去プレート（図示省略）は、図３を参照して説明すると、静電気除去プレート５０とは上下逆向きの状態で配設されている。つまり、本体枠１０に固定される静電気除去プレートにおいては、静電気除去プレート５０でいう固定部５２に該当する部分が、所定の固定具を用いて本体枠１０の背面側に固定される。また、静電気除去プレート５０でいう接触部５４に該当する部分が、第２支持部材４０ｆとは必要以上の間隔を余さない程度に下方へ垂れ下がるようにして配設されている。
【０１３２】
また、前述の導電プレート１９では、本体枠１０の背面側に配設されている場合について説明したが、機構板２０に配設されていてもよい。
【０１３３】
図８は、パチンコ遊技機Ａ１の要部の構成を示す拡大斜視図である。
【０１３４】
同図において、導電プレート１１９は、導電プレート１９と同様に、所定位置が折曲された導電性を有する板状部材により形成されており、一方の端部が機構板２０の有する各種装置、例えば、電源基板２２ｇの外面に所定の固定具Ｆ等を用いて固定され、他方の端部が静電気除去プレート５０の接触部５４と接するように配設されている。
【０１３５】
図９は、パチンコ遊技機Ａ１の要部の構成を示す図であって、Ｘ３矢視線（図８参照）より視認した矢視断面図である。
【０１３６】
同図において、導電プレート１１９の電源基板２２ｇに固定されている側の端部とは反対側の端部は、本体枠１０が外枠４０に収納されると、静電気除去プレート５０の接触部５４と接触するように形成されている。また、この導電プレート１１９には、機構板２０の有する各種装置、具体的には、主制御基板２２ｂや電源基板２２ｇ等の導電箇所と接続された導電線１１９ａが接続されている。つまり、機構板２０の背面側に配設された主制御基板２２ｂや電源基板２２ｇ等の各種装置の有する導電箇所に帯電している静電気は、図６に示す導電プレート１９と同様に、導電線１１９ａを介して導電プレート１１９に導通され、さらに、接触部５４及び接続部５６及び第２連結部材４２ｂを経由して島側へ導通される。
【０１３７】
（３）遊技機の変形例:
次に、パチンコ遊技機Ａ１の第１の変形例としての静電気除去プレート１５０について図面を利用して説明する。
【０１３８】
図１０は、パチンコ遊技機Ａ１の第１の変形例の要部の構成を示す斜視図である。
【０１３９】
同図において、静電気除去プレート１５０は、固定部１５２と、接触部１５４と、接続部１５６とを有している。この静電気除去プレート１５０は、上述の静電気除去プレート５０とは、概ね同様の構成にて形成されているが、接触部１５４において異なる構成を有している。また、この静電気除去プレート１５０の所定位置には、静電気除去プレート５０と概ね同様に複数の孔部、すなわち、固定部１５２に設けられている孔部１５２ａや接続部１５６に設けられている孔部１５６ａ等が形成されているが、機能的には静電気除去プレート５０の場合と同様であるので、その説明を省略する。
【０１４０】
図１１は、パチンコ遊技機Ａ１の第１の変形例の要部の構成を示す図であって、本実施例のパチンコ遊技機Ａ１に第１の変形例を配設した状態をＸ１矢視線（図３参照）より視認した矢視断面図である。
【０１４１】
同図において、接触部１５４は、板状部材を所定の２箇所、すなわち、折曲線１５４ａと、折曲線１５４ｂとにおいて折曲することにより、断面視略三角形状を呈する板バネ作用を有する形状に形成されている。また、この接触部１５４の長手方向の幅は、モータ支持部１８ｅの内側の幅に合わせて形成されている。つまり、この接触部１５４は、本体枠１０が外枠４０に収納されると、丁度モータ支持部１８ｅが収納される場所となる位置に配設されており、このモータ支持部１８ｅの底面側の端部が接触部１５４に接触すると、接触部１５４が下方へ押されて折曲線１５４ｂがモータ支持部１８ｅ下部に形成されている開口部１８ｅ１に嵌着するように配設されている。これにより、接触部１５４は、板バネ作用によりモータ支持部１８ｅに対して付勢されるので、モータ支持部１８ｅと安定した接触状態を形成している。
【０１４２】
また、図１２は、パチンコ遊技機Ａ１の第２の変形例の要部の構成を示す斜視図である
。
【０１４３】
同図において、静電気除去プレート２５０は、静電気除去プレート５０と連結部材４２ｂとが一体に形成されたものと同様の構成である。すなわち、この静電気除去プレート２５０は、固定部２５２と、接触部２５４と、接続部２５６とから形成されている。つまり、この静電気除去プレート２５０パチンコ遊技機Ａ１に用いる場合には、連結部材４２ｂの代わりに、接続部２５６が、直接外枠４０に配設されることとなる。従って、この静電気除去プレート２５０においては、静電気除去プレート５０の構成を有する部分と連結部材４２ｂの構成を有する部分とが一体に形成されているので、互いを連結するための固定具等を用いることなく静電気の導通を行うことが可能な構造となっている。また、この静電気除去プレート２５０の固定部２５２には、静電気除去プレート５０と概ね同様に複数の孔部、すなわち、固定部１５２に設けられている孔部１５２ａと同様の孔部が形成されているが、機能的には静電気除去プレート５０の場合と同様であるので、その説明を省略する。
【０１４４】
また、図１３は、パチンコ遊技機Ａ１の第３の変形例の要部の構成を示す分解斜視図である。
【０１４５】
同図において、パチンコ遊技機Ａ１には、静電気除去プレート５０に加えて、機構板連結部材（介在手段）１２１が設けられている。この機構板連結部材１２１は、前述の機構板連結部材２１（図２参照）と概ね同様に、本体枠１０の取付部１０ｂに固定されており、機構板２０をヒンジ１２１ａを用いて回動自在に連結することで遊技盤１２に対して開閉自在に装着するために設けられている。しかし、機構板連結部材１２１は、機構板連結部材２１とは異なる構成を有している。すなわち、この機構板連結部材１２１の下方端は、所定の長さ延長され、さらに、その端部には、断面視略レ字状に折曲された接触部１２３が設けられている。
【０１４６】
図１４は、パチンコ遊技機Ａ１の第３の変形例の要部の構成を示す平面図である。
【０１４７】
同図において、接触部１２３は、本体枠１０が外枠４０に収納されると、丁度第２連結部材４２ｂの一部、具体的には、外枠４０の第２側面部材４０ｂに固定されている垂直面状を呈する部分と接触する位置に設けられている。この接触部１２３は、その形状から所定の板バネ作用を有しており、本体枠１０を外枠４０に収納すると、接触部１２３が所定の付勢力で第２連結部材４２ｂに押圧されるように設けられている。
【０１４８】
この機構板連結部材１２１は、本体枠１０及び機構板２０に設けられている各種装置の有する導電箇所と所定の導電線（図示省略）等を用いて電気的に接続されている。具体的には、本体枠１０及び機構板２０に設けられている各種装置の有する導電箇所と接続された導電線の他端がヒンジ１２１ａ等に接続されることにより、本体枠１０及び機構板２０に設けられている各種装置の有する導電箇所と機構板連結部材１２１とが電気的に接続された状態となる。つまり、導電箇所に帯電している静電気は、図１４に示す破線のように、導電線を介してヒンジ１２１ａに導通され、さらに、接触部１２３及び第２連結部材４２ｂを経由して島側へ導通される。
【０１４９】
なお、第３の変形例では、機構板連結部材１２１を介在手段として利用した場合の一例を示したが、本体枠１０及び機構板２０に設けられている各種装置の有する導電箇所と接触させることが可能であれば、機構板連結部材１２１等とは別に、介在手段として導電性を有する部材を新たに設けるようにしてもよい。
【０１５０】
なお、本実施例においては、本発明をパチンコ遊技機Ａ１に応用した場合について説明したが、これ以外にもスロットマシンやパチロット等に応用することも可能である。
【符号の説明】
【０１５１】
Ａ１…パチンコ遊技機
１０…本体枠
１４…上皿（所定部材）
１６…下皿（所定部材）
１８…遊技球発射装置（所定部材）
１９、１１９…導電プレート（導電仲介部材）
１９ａ、１１９ａ…導電線
４０…外枠
４２…連結部材（連結手段）
２５０…静電気除去プレート（金属板部材）
２５４…接触部
【図１】
0005500211.tif 000002
【図２】
0005500211.tif 000003
【図３】
0005500211.tif 000004
【図４】
0005500211.tif 000005
【図５】
0005500211.tif 000006
【図６】
0005500211.tif 000007
【図７】
0005500211.tif 000008
【図８】
0005500211.tif 000009
【図９】
0005500211.tif 000010
【図１０】
0005500211.tif 000011
【図１１】
0005500211.tif 000012
【図１２】
0005500211.tif 000013
【図１３】
0005500211.tif 000014
【図１４】
0005500211.tif 000015